【事件の表示】
　特願２００１−３９３９６７「射出成形機のデータ印刷方法」拒絶査定不服審判事件〔平成１５年　７月１１日出願公開、特開２００３−１９６０４８〕について、次のとおり審決する。
【結　論】
　本件審判の請求は、成り立たない。
【理　由】
Ｉ．手続きの経緯
　本願は、平成１３年１２月２６日の出願であって、平成１７年８月２６日付けの拒絶の理由の通知に対して、同年１０月２８日付けで意見書及び手続補正書が提出されたが、平成１７年１１月２９日付けで拒絶の査定を受けたものであり、この査定を不服として、同年１２月２８日に拒絶査定不服審判の請求がなされるとともに、同日付けで手続補正がなされたものである。
　
ＩＩ．平成１７年１２月２８日付けの手続補正について
［結論］平成１７年１２月２８日付けの手続補正（以下、「本件補正」という。）を却下する。
　その理由は以下のとおり。
　
［理由］
（１）補正後の本願発明
　本件補正により、特許請求の範囲の請求項１乃至２は、
　
「【請求項１】
　射出成形機のプリンタ接続部にプリンタを接続してデータの印刷を行う射出成形機のデータ印刷方法において、
　射出成形機のコントローラに、プリンタに対してプリンタＩＤの要求コマンドを送信し、かつ当該プリンタより受信したプリンタＩＤから前記プリンタの機種を判別する判別プログラムによりプリンタの機種を判別するプリンタ判別機能及び印刷データを
前記プリンタ判別機能で判別した
してプリンタに転送する変換プログラムにより実行する
　プリンタを接続した直後から印刷の直前までの間に、前記プリンタ判別機能により、前記プリンタ接続部に接続したプリンタの機種を判別するとともに、印刷時に、前記データ変換機能により、印刷データを前記プリンタ判別機能で判別したプリンタの機種に適合するように変換してプリンタに転送することを特徴とする射出成形機のデータ印刷方法。
【請求項２】　前記プリンタ判別機能は、前記プリンタＩＤを受信しないときは印刷中止処理を行い、かつ使用できないプリンタである旨を表示することを特徴とする請求項１記載の射出成形機の印刷データ方法。」
　
　と補正された。（なお、アンダーラインは、補正箇所を示すために付したものである。）
　
　上記補正は、本件補正前の請求項１に係る発明を特定するために必要な事項である「プリンタの機種に適合する制御コードに変換するデータ変換機能」について、「
前記プリンタ判別機能で判別した
してプリンタに転送する変換プログラムにより実行する
　
　そこで、本件補正後の上記請求項１に係る発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物の記載
　
　原査定の拒絶の理由に引用された特開平５−５７７４８号公報（平成５年３月９日出願公開。以下、「刊行物１」という。）には、図面と共に以下の事項が記載されている。
　
「【０００６】
【課題を解決するための手段】本発明は上記した目的を達成するため、射出成形機全体の運転制御、表示出力制御、プリント出力制御等を司るマイクロコンピュータを具備し、射出成形機にユーザの所望によってプリンタを接続可能とした射出成形機において、ユーザによって接続される異なる機種のプリンタにそれぞれ対応したプリント出力フォーマットで、データをプリンタに送信可能とするように構成される。
【０００７】
【作用】プリンタの機種設定画像を呼び出して、当該プリンタ機種設定画像上において射出成形機に接続するプリンタ機種を選定することによって、射出成形機の全体制御を司るマイコン内のプリント出力処理部は、ユーザによって選択されたプリンタ機種に対応したデータ送信モードとなる。そして、選択された機種のプリンタを射出成形機に接続した状態で所望データのプリント出力を指示すると、上記したプリント出力処理部は指示されたプリント出力データを作成して、接続されたプリンタに応じた送信開始コマンドを送出し、この後、例えばデータがドットイメージデータである場合には接続されたプリンタに適合するビット列順序でデータを順次送信する。」
　
「【０００９】図１の前記マイコン１は、チャージ動作、射出動作、型開閉動作、エジェクト動作等の成形行程全体の制御や、実測データの演算・格納処理、良品／不良品の判定処理、異常判定処理等の演算・判定処理、あるいは前記表示装置５の出力画像の表示制御処理や、前記プリンタ６へのプリントデータ生成・送出処理等々の各種処理を実行する。このマイコン１は、実際には各種Ｉ／Ｏインターフェイス、ＲＯＭ、ＲＡＭ、ＣＰＵ等を具備したもので構成され、予め作成された各種プログラムにより各種処理を実行するも、本実施例においては、成形条件設定記憶部１１、成形プロセス制御部１２、実測値記憶部１３、プリント出力処理部１４、表示処理部１５等を備えたものとして、以下の説明を行なう。なお、プリント出力処理部１４には、データ変換処理部１６、プリント用固定データ格納部１７、プリント出力データ生成部１８、送信制御部１９等が設けられており、また、表示処理部１５には、データ変換処理部２０、表示用固定データ格納部２１、表示画像データ生成部２２等が設けられている。」
　
「【００１３】前記プリント出力処理部１４は、オペレータが表示装置５上の適宜表示画像と対話式にキー入力装置４により所望データのプリント出力を指示することによって、予め作成されたプリントデータ作成・送信制御プログラムに基づき、指定されたプリントデータを作成し、また、このプリントデータをオペレータが選択したプリンタ機種に対応した送信モードでプリンタ６に送信する。
【００１４】すなわち、オペレータが所望するデータのプリント出力指令が到来すると、プリント出力処理部１４の前記データ変換処理部１６は、必要に応じ前記成形条件設定記憶部１１や実測値記憶部１３に格納された情報から当該プリント出力に用いるためのデータを抽出すると共に、これらを指定された当該プリント出力のプリント形態に対応した形に変換処理する。例えば、指定されたプリント出力が或る行程の設定データと実測データとの対比表などであると、抽出したデータをプリント用数値コードに変換処理等する。そして、これらのデータ変換処理部１６の変換処理データは、前記プリント出力データ生成部１８に取り込まれる。また、前記プリント用固定データ格納部１７に予め作成されて格納されている多種固定データたる文字，記号，グラフィック図形，罫線データ等々から、当該プリント出力に用いるためのデータが抽出されて、これがプリント出力データ生成部１８に取り込まれ、前記データ変換処理部１６の変換処理データとともにプリント出力用のデータとして合成される。一方、オペレータによって前記表示装置５上の表示画像のプリント出力が要求されると、プリント出力データ生成部１８は表示処理部１５の後述する表示画像データ生成部２２からのデータ転送を受けて、これをプリント出力用のデータして必要に応じ変換処理して格納する。
【００１５】斯様なプリント出力データ生成部１８内のプリントデータは、前記送信制御部１９を介してマイコン１に接続された前記プリンタ６に送信される。この送信制御部１９はユーザによって選択されたプリンタ機種に対応したデータ送信モードをとるようになっており、予めオペレータによってマイコン１（射出成形機）に接続したプリンタに応じたデータ送信モードをとるようにされ、接続されたプリンタ６に対し当該プリンタに応じた送信開始コマンドを送出し、この後、例えばデータがドットイメージデータである場合には接続されたプリンタに適合するビット列順序でデータを順次送信する。」
　
「【００１７】図２はキー入力装置４による所定キー操作で呼び出したプリンタの機種設定画像を示す図である。図２に示すように本実施例においては、プリンタメーカ毎にその代表的な機種を選択可能となっており、図２の表示画像上でカーソルを所望機種名上に移動させ、確定キーをプッシュすることによって、前記送信制御部１９はユーザによって選択されたプリンタ機種に対応したデータ送信モードをとるようになっている。
【００１８】斯様にすることによって、ユーザによって接続される異なる機種のプリンタにそれぞれ対応したプリント出力フォーマットで、データをプリンタに送信可能となり、ユーザが手持ちの任意の機種のプリンタを射出成形機に接続してプリント出力を得ることができ、以ってユーザの利便性は大いに向上する。」
　
　以上の記載によれば、刊行物１には、次の発明（以下、「刊行物１記載発明」という。）が記載されている。
　
「射出成形機にプリンタ６を接続してデータのプリント出力を得ることができる射出成形機のデータプリント出力方法において、
　ユーザによって接続される異なる機種のプリンタにそれぞれ対応したプリンタ出力フォーマットで、データをプリンタに送信可能に構成され、ユーザが手持ちの任意の機種のプリンタを射出成形機に接続してプリント出力を得ることが出来る射出成形機の、各種プログラムによりプリンタ６へのプリントデータ生成・送出処理等の各種処理を実行するマイコン１に、プリント出力部１４を設け、
　このプリント出力部１４は、プリント出力に用いるためのデータを指定されたプリント出力の形態に対応した形に変換処理するデータ変換処理部１６と、
　この変換処理されたデータを取り込み、他のデータと共にプリント出力用のデータとして合成するプリント出力データ生成部１８と、
　このプリント出力データ生成部１８内のプリントデータを、ユーザによって選択されたプリンタの機種に対応したデータ送信モードをとることにより、プリンタに対応したプリント出力フォーマットで、データをプリンタ６に送信する送信制御部１９を有し、
　プリンタ機種設定画像上において射出成形機に接続するプリンタ機種を選定することによって、射出成形機の全体制御を司るマイコン１内のプリント出力部処理部１４は、ユーザによって選択されたプリント機種に対応したデータ送信モードをとり、データのプリント出力を指示すると、プリント出力データを作成し、接続されたプリンタに応じた送信開始コマンドを送出し、データを送信し、プリンタに対応したプリント出力フォーマットで、データをプリンタに送信することを特徴とする射出成形機のデータプリント出力方法。」
　
　同じく原査定の拒絶の理由に引用された特開２０００−２４２４５４号公報（平成１２年９月８日出願公開。以下、「刊行物２」という。）には、図面と共に以下の事項が記載されている。
　
「【００１９】
【発明の実施の形態】次に、本発明の一実施の形態を図面に従って説明する。実施の形態の印字システム１は、図１に示す様に、ＵＳＢポート３を備えるパーソナルコンピュータ５に対して、ハブ７，９を介して３台のプリンタ１１，１３，１５を接続したものである。」
　
「【００３０】次に、電源立ち上げ時等に実行されるポートリスト作成処理の内容について説明する。この処理では、図３に示す様に、まず、ＣＰＵ５０は、システムに対してその時点でプリンタクラスドライバにつながっている全てのデバイスのリンク名を取り出す（Ｓ１０）。これは基本ソフトの備える機能を利用して行われる。そして、取り出したリンク名に従って、上述のようにポートモニタを介してポートのオープンを実行する（Ｓ２０）。ポートのオープンが実行できたら、次に、当該ポートに接続されているプリンタに対してデバイスＩＤの返信を要求するコマンドを発行する（Ｓ３０）。」
　
「【００３２】ここで、デバイスＩＤは、例えば、「ＭＦＧ：ＡＢＣ；ＣＭＤ：ＰＣＬ５，ＰＪＬ，ＰＣＬＸＬ；ＭＤＬ：ＰＲ１０００  ｓｅｒｉｅｓ；ＣＬＳ：ＰＲＩＮＴＥＲ；」といった文字列によって構成されている。ここで、ＭＦＧは製造元、ＣＭＤは処理できるコマンド体系の種類、ＭＤＬはモデル名、ＣＬＳはデバイスの種類を表しており、「ＭＤＬ：」に続いて記述されている「ＰＲ１０００」がこのプリンタの識別名である機種名を表している。
【００３３】そして、プリンタからデバイスＩＤが返信されてきたら（Ｓ４０：ＹＥＳ）、デバイスＩＤの中から機種名を抽出する処理を実行する（Ｓ５０）。また、リンク名からシリアル番号を取り出す処理を実行する（Ｓ６０）。そして、このシリアル番号と機種名とを含むポート名を、例えば、「ＢＲＵＳＢ００１［ＰＲ１０００］」の様に作成する（Ｓ７０）。続いて、こうして作成したポート名を登録し（Ｓ８０）、ここまでの処理を行ってきたポートをクローズする（Ｓ９０）。」
　
　以上の記載によれば、刊行物２には、次の事項（以下、「刊行物２記載の事項」という。）が記載されている。
　
「接続されているプリンタの機種名を得るために、プリンタに対してプリンタＩＤの要求コマンドを送信し、当該プリンタより受信したプリンタＩＤから前記プリンタの機種を判別すること。」
　
　さらに、同じく原査定の拒絶の理由に引用された特開平２−３０６７９６号公報（平成２年１２月２０日出願公開。以下、「刊行物３」という。）には、図面と共に以下の事項が記載されている。
　
「【作用】
　本発明においては、サーバ側あるいはワークステーション側にタイプ別マップ（コード体系表）を備え、異機種のワークステーションからリモートプリンタに出力する場合、ＩＤコードから識別されたプリンタタイプに従って、プリンタの制御コードを変換した後、リモートプリンタに出力する。」（第３頁右上欄第１５行乃至同頁左下欄第１行。）
　
「また、サーバ５６は、ワークステーション５１〜５５から送られたデータのＩＤコードにより、使用しているプリンタ種別を判別するＩＤコード判断部と、そのＩＤコードの判別に用いるＩＤコード表と、プリンタ固有の制御コードをリモートプリンタ５７の制御コードに変換するコード変換部と、そのコード変換に用いるタイプ別マップ（コード体系表）とを備え、第６図に示す処理を行う。すなわち、ワークステーション５１〜５５から出力データを受け取ると、始めに付加されたＩＤコードによって使用しているプリンタのタイプを判定し（６０１）、タイプ別マップを参照してリモートプリンタ５７が理解できるコードに変換した後（６０２）、変換後のコードでスプールファイルを作成して（６０３）、出力処理を行う（６０４）。」（第３頁右下欄第７行乃至第４頁左上欄第１行。）
　
　第６図には、出力処理（６０４）により、プリンタへデータの転送処理が行われることが示されている。
　
　そして、特開昭６２−２７９４２３号公報（昭和６２年１２月４日出願公開。以下、「刊行物４」という。）には、図面と共に以下の事項が記載されている。
　
「【特許請求の範囲】
（１）ホスト計算機と、標準インターフェースにより該計算機と接続される異種類のプリンタ装置とからなるシステムにおけるプリンタ装置において、
　上記ホスト計算機からの特定のデータ列を受信したとき自らのプリンタの型式を上記標準インターフェースを介して上記ホスト計算機へ通知する通知手段を備えたことを特徴とするプリンタ装置。」
　
「従来のプリンタ装置を含むシステムは以上のように構成されているので、ホスト計算機は実際に接続されているプリンタの種別（型式）が確認できず、オペレータが指定した種別に応じた出力制御ルーチンを実行するだけである。従って、オペレータが操作ミスを犯した場合などは、プリンタに正しいつまりプリンタの型式に適したデータ列，コマンド列が送信されず印字ミスが発生する。」（第２頁左上欄第１４行乃至右上欄第１行。）
　
「この発明においては、内部にプリンタ機種毎に対応するタイミングパターンの信号を発生するタイミング発生部を設けたから、ホスト計算機から特定のデータ列（機種を識別するための一種のコマンド）が送られてきたとき、標準インターフェース内の特定の信号をタイミング発生部によりオン、オフさせることができ、ホスト計算機はこの信号線の変化するタイミングパターンによりプリンタの機種を識別することができる。
〔実施例〕
　以下、この発明の一実施例を図について説明する。
　第１図は本発明の一実施例によるプリンタ装置を含む計算機システムの構成を示し、図において、１〜１５は第５図と同一のものであり、１６はプリンタ装置に設けられプリンタ装置の機種（型式）に応じたタイミングパターンの信号を発生するタイミング発生部である。
　第２図は第１図中のメモリ２の一部を示し、ここにはプリンタ機種毎のタイミングパターンがデータとして格納され、またプリンタ機種毎の出力制御ルーチンも格納されている。
　第３図は第１図のＣＰＵ１がプリンタにデータを出力する際のプログラムの流れを、第４図は第１図の標準インターフェース１０の信号波形の一部を示したものであり、図中、１７はホストからプリンタ機種を識別するために送られたデータ列（コマンド）の最後のデータ、１８はこのコマンドを受けた後にプリンタから出力される機種通知のためのタイミング波形である。
　次に第３図のフローチャートを用いて動作について説明する。
　ＣＰＵ１がプリンタ装置に対してデータを出力する際はまず、機種識別用のデータ列（ＥＳＣシーケンスで構成され、このデータ列は当然各プリンタに対して同一のものである）を送信する（ステップＳ１）。そしてプリンタが機種識別用のデータ列を受信すると内部のタイミング発生部を動作させ、第４図のＢＵＳＹ信号のタイミングパルス１８を出力する。このときホスト計算機はすぐさま印字したいデータを出力するのではなく、プリンタからのＢＵＳＹ信号をサンプリングする。
すなわち一定時間内におけるＢＵＳＹ信号のオン、オフの時間、回数等をモニタリングし、メモリ２内に記憶されたプリンタ機種毎のタイミングパターンと比較し（ステップＳ２）、接続されたプリンタ種別を自動的に識別する（ステップＳ３）。
　その後はその機種に応じた出力制御ルーチンを実行する（ステップＳ４ｎ）ことで正確な処理を行なうことができる。
　ここでタイミングパターン１８はホストＣＰＵ１がＳ／Ｗ的にモニタリングすることを考えているため、適切な長さのパルス幅が必要とされる。
　このように本実施例ではプリンタ機種（型式）に応じたタイミングパターンの信号を発生するタイミング発生器を設けたので、標準インターフェース内の特定の信号をタイミング発生部によりオン、オフさせて、ホスト計算機にプリンタの機種を通知でき、プリンタ機種設定の操作ミスを防止できる。また、異機種プリンタをホスト計算機に接続し直した場合、特定の操作が不要であり、さらに標準インターフェース（セントロニクス社仕様）は取り換える必要がなく、特別なケーブル、特別なＨ／Ｗは不要である。」（第２頁右上欄第１７行乃至第３頁左上欄第２０行。）
　
　以上の刊行物３、４の記載から、以下の事項が、本願出願前に周知（以下、「周知技術」という。）であったと認められる。
　
　「プリンタに接続される装置において、印刷データを、接続されたプリンタの機種に適合する制御コードに変換してプリンタに転送すること。」
　
（３）対比
　本願補正発明と刊行物１記載発明とを対比すると、刊行物１記載発明の「プリント出力」、「マイコン１」、「送信」は、本願補正発明の「印刷」、「コントローラ」、「転送」に、それぞれ相当する。
　また、刊行物１記載発明は「射出成形機にプリンタ６を接続」するから、プリンタ接続部を有し、「射出成形機のプリンタ接続部にプリンタを接続」していることは明らかである。
　さらに、刊行物１記載発明の「射出成形機のマイコン１」は、「各種プログラムによりプリンタ６へのプリントデータ生成・送出処理等の各種処理を実行」し、「データを変換処理するデータ変換処理部１６」を有しているから、「変換プログラムにより実行するデータ変換機能」が設けられていることは明らかである。
　そして、刊行物１記載発明は「ユーザによって接続される機種のプリンタにそれぞれ対応したプリンタ出力フォーマットで、データをプリンタに送信可能に構成され」、「プリント出力データ生成部１８内のプリントデータを、ユーザによって選択されたプリンタの機種に対応したデータ送信モードをとることにより、プリンタに対応したプリント出力フォーマットで、データをプリンタ６に送信する」から、「印刷データをプリンタの機種に適合するように変換してプリンタに転送する」ことは明らかである。
　
　したがって、両者の一致点及び相違点は次のとおりである。
　
［一致点］
「射出成形機のプリンタ接続部にプリンタを接続してデータの印刷を行う射出形成機のデータ印刷方法において、
　射出成形機のコントローラに、印刷データを変換する変換プログラムにより実行するデータ変換機能を設け、
　印刷時に、印刷データをプリンタの機種に適合するように変換してプリンタに転送することを特徴とする射出成形機のデータ印刷方法。」
　
［相違点］
［相違点１］
　本願補正発明は、「プリンタに対してプリンタＩＤの要求コマンドを送信し、かつ当該プリンタより受信したプリンタＩＤから前記プリンタの機種を判別する判別プログラムによりプリンタの機種を判別するプリンタ判別機能」を「射出成形機のコントローラ」に設け、「プリンタを接続した直後から印刷の直前までの間に、前記プリンタ判別機能により、前記プリンタ接続部に接続したプリンタの機種を判別する」のに対して、
　刊行物１記載発明では、ユーザによってプリンタの機種が選択されている点。
　
［相違点２］
　本願補正発明では、「印刷データをプリンタ判別機能で判別したプリンタの機種に適合する制御コードに変換してプリンタに転送する変換プログラムにより実行するデータ変換機能」を「射出成形機のコントローラ」に設け、「印刷時に、前記データ変換機能により、印刷データを前記プリンタ判別機能で判別したプリンタの機種に適合するように変換してプリンタに転送」するのに対して、
　刊行物１記載発明では、単に、「変換プログラムにより実行するデータ変換機能」を「射出成形機のコントローラ」に設け、「印刷時に、印刷データをプリンタの機種に適合するように変換してプリンタに転送」している点。
　
（４）判断
　上記相違点について検討する。
　［相違点１］
　ユーザが選択することにより情報を得ることに代えて、自動的に得るようにすることは、従来周知の一般的な課題にすぎないから、ユーザによってプリンタの機種が選択される刊行物１記載発明において、接続されているプリンタの機種を自動的に判別するようにすることは、当業者であれば適宜なし得た設計事項にすぎない。
　そのために、自動的に「接続されているプリンタの機種名を得るために、プリンタに対してプリンタＩＤの要求コマンドを送信し、かつ、当該プリンタより受信したプリンタＩＤから前記プリンタの機種を判別すること」は、刊行物２に記載されているから、この刊行物２に記載の事項を刊行物１記載発明に適用し、刊行物１記載発明の「ユーザによってプリンタの機種が選択されている」ことに代えて、「プリンタに対してプリンタＩＤの要求コマンドを送信し、かつ当該プリンタより受信したプリンタＩＤから前記プリンタの機種を判別する判別プログラムによりプリンタの機種を判別するプリンタ判別機能」を刊行物１記載発明の「射出成形機のコントローラ」に設け、プリンタ判別機能により、前記プリンタ接続部に接続したプリンタの機種を判別するように構成することは、当業者が容易に想到し得た事項である。
　そして、このときプリンタに対してプリンタＩＤの要求コマンドを送信し、当該プリンタより受信したプリンタＩＤからプリンタの機種を判別することから、「プリンタの機種を判別する」タイミングを「プリンタを接続した直後から」とすることは、当業者であれば当然なすべき設計事項であり、また、印刷の際に、印刷よりも前の時点でプリンタの機種を判別することは当然必要とされるから、「プリンタの機種を判別する」タイミングを「印刷の直前までの間」とすることも、当業者であれば当然なすべき設計事項である。
　
　［相違点２］
　「プリンタに接続される装置において、印刷データを、接続されたプリンタの機種に適合する制御コードに変換してプリンタに転送すること」は、刊行物３、４に記載のように周知技術であるから、印刷データを判別されたプリンタの機種に適合する制御コードに変換してプリンタに転送させ、相違点２に係る構成とすることは、当業者であれば適宜なし得る設計事項である。
　
　そして、本願補正発明の構成によって奏される効果も、刊行物１記載発明、刊行物２に記載の事項及び周知技術からみて格別のものではない。
　
　したがって、本願補正発明は、刊行物１記載発明、刊行物２に記載の事項及び周知技術に基づいて、当業者が容易に発明をすることができたものであるから、特許法第２９条第２項の規定により、特許出願の際独立して特許を受けることができない。
　
（５）むすび
　以上のとおり、本件補正は、特許法第１７条の２第５項において準用する同法第１２６条第５項の規定に違反するので、特許法第１５９条第１項の規定において読み替えて準用する同法第５３条第１項の規定により却下すべきものである。
　
ＩＩＩ．本願発明について
　
（１）本願発明
　平成１７年１２月２８日付けの手続補正は上記のとおり却下されたので、本件出願の請求項１に係る発明は、平成１７年１０月２８日付けの手続補正書の特許請求の範囲の請求項１に記載された事項により特定される、以下のとおりのものである。（以下、「本願発明」という。）
　
「【請求項１】　射出成形機のプリンタ接続部にプリンタを接続してデータの印刷を行う射出成形機のデータ印刷方法において、射出成形機のコントローラに、プリンタに対してプリンタＩＤの要求コマンドを送信し、かつ当該プリンタより受信したプリンタＩＤから前記プリンタの機種を判別する判別プログラムによりプリンタの機種を判別するプリンタ判別機能及び印刷データをプリンタの機種に適合する制御コードに変換するデータ変換機能を設け、プリンタを接続した直後から印刷の直前までの間に、前記プリンタ判別機能により、前記プリンタ接続部に接続したプリンタの機種を判別するとともに、印刷時に、前記データ変換機能により、印刷データを前記プリンタ判別機能で判別したプリンタの機種に適合するように変換してプリンタに転送することを特徴とする射出成形機のデータ印刷方法。」
　
（２）刊行物の記載
   刊行物の記載については、前記「ＩＩ．（２）」で述べたとおりである
。
　
（３）対比
　本願発明は、前記「ＩＩ．」で検討した本願補正発明の「データ変換機能」の限定事項である「印刷データを
前記プリンタ判別機能で判別した
してプリンタに転送する変換プログラムにより実行する
　
　そうすると、本願発明の構成要件をすべて含み、さらに他の構成要件を付加したものに相当する本願補正発明が、前記「ＩＩ．（４）」に記載したとおり、刊行物１記載発明、刊行物２に記載の事項及び周知技術に基づいて、当業者が容易に発明をすることができたものであるから、本願発明も、同様の理由により、刊行物１記載発明、刊行物２に記載の事項及び周知技術に基づいて、当業者が容易に発明をすることができたものである。
　
ＩＶ．むすび
　以上のとおり、本願発明は、刊行物１記載発明、刊行物２に記載の事項及び周知技術に基づいて、当業者が容易に発明をすることができたものであるから、特許法第２９条第２項の規定により特許を受けることができない。
　
　よって、結論のとおり審決する。